(57)【特許請求の範囲】
【請求項１】
背負い具本体の上部に２個の上部肩ひもの一端が取付けられ、背負い具本体の下部の左右には連結具が挿通された取付け帯が取付けられ、前記一方の上部肩ひもの下端部に係脱自在な係脱具の一方を設け、また前記上部肩ひもの下端部に長尺の調整ひもの一端を固着し、この調整ひもを調整具、前記係脱具の他方、前記調整具及び前記一方の連結具に順次挿通し、更に前記調整具のひも掛け部に挿通して摩擦係合させた背負い具において、前記調整具と前記取付け帯に一対の着脱可能な止め具を設けたことを特徴とする背負い具。
【発明の詳細な説明】
【０００１】
【発明の属する技術分野】
本発明は背負い具に関する。
【０００２】
【従来の技術】
従来、背負い具本体内の収納物を取り出す場合、背負い具を下ろさないで背負った背負い具本体を体の前側に持ってくることができ、また逆に体の前側の背負い具本体を容易に背負うことができる背負い具として、例えば特開平８−１１７０２６号公報、特開平９−１６８４２５号公報に示すものが知られている。この構造を図３乃至図８により説明する。
【０００３】
図３及び図５に示すように、バッグ本体１の上部には、２個の上部肩ひも２Ａ、２Ｂの一端が固定されている。バッグ本体１の下部の左右には、連結具３Ａ、３Ｂが挿通された取付け帯４Ａ、４Ｂが取付けられている。上部肩ひも２Ａ、２Ｂと連結具３Ａ、３Ｂには背負い具用肩ひも１０、２０が取付けられている。
【０００４】
一方の背負い具用肩ひも１０は、図６に示すような構造となっている。上部肩ひも２Ａの下端部には、連結帯１１を介して周知の係脱可能な係脱具１２の雌部１２ａが取付けられ、係脱具１２の雄部１２ｂには、長尺の調整ひも１３が挿通されている。係脱具１２の雄部１２ｂに挿通された調整ひも１３の一方側は、周知の調整具１４の上方側に挿通して折り返され、一端部１３ａは上部肩ひも２Ａの裏面側に固着されている。係脱具１２の雄部１２ｂに挿通された調整ひも１３の他方側は、前記調整具１４の上方側の表面側より裏面側に挿通され、続いて連結具３Ａに挿通され、再び調整具１４のひも掛け部１４ａの両側に挿通されて折り返され、他端部１３ｂは下方に伸びている。このひも掛け部１４ａに掛けられた調整ひも１３の部分はひも掛け部１４ａに摩擦係合する。
【０００５】
他方の背負い具用肩ひも２０は、図７に示すような構造となっている。上部肩ひも２Ｂの下端部に固着した連結帯２１と、この連結帯２１に設けた周知の調整具２２と、調整具２２に挿通し前記連結具３Ｂに取付けた調整帯２３とからなっている。
【０００６】
そこで、図８（ａ）に示すようにバッグ本体１を背中に背負う。そして、図３に示す調整具１４を上下動させると、係脱具１２と連結具３Ａ間における調整ひも１３の長さを自由に調整できる。これにより、使用する人に最適になるように背負い具ひも１０の長さを自由に調整できる。
【０００７】
背負ったバッグ本体１より収納物を取り出す際には、図４に示すように、係脱具１２（１２ａと１２ｂ）を分離する。そして、他方の背負い具用ひも２０を引っ張ってバッグ本体１を体の前側に移動させると、この動作によって上部肩ひも２Ａが引っ張られることにより、調整具１４より垂れ下がっている調整ひも１３の部分１３ｃが伸び、長尺の肩ひもとなるので、容易にバッグ本体１を体の前側に移動させることができる。これにより、図８（ｂ）に示すように、調整ひも１３は、首から脇の下、背、腰を螺旋状に巻くことにより、バッグ本体１の姿勢を安定させる効果を奏するため、バッグの収納物を楽に両手で取り出すことができる。また重量物を背負って運搬する場合、休憩後に背負う時にも好適である。即ち、係脱具１２を外した状態にしておくと、背負い具用ひも１０は長尺のひもとなるので、背負い具用ひも１０、２０に容易に腕を挿入することができる。
【０００８】
【発明が解決しようとする課題】
図８（ａ）に示すようにバッグ本体１を背負った状態より、図８（ｂ）に示すようにバッグ本体１を体の前側に移動させる場合、調整ひも１３が伸びる長さは、図４に示す調整具１４より垂れ下がっている調整ひも１３の部分１３ｃである。そこで、図８（ａ）に示すようにバッグ本体１を背負った状態においては、調整具１４は連結具３Ａにできるだけ近づけておく方が前記した調整ひも１３の部分１３ｃは長くなり、図８（ｂ）に示すように、バッグ本体１を体の前側に容易に移動させることができる。
【０００９】
しかし、調整具１４は、係脱具１２と連結具３Ａ間のどの位置に調整していても図８（ａ）に示すように、バッグ本体１を背負うことができる。そこで、調整具１４を係脱具１２に近づけてバッグ本体１を背負った場合、図４に示す調整ひも１３の部分１３ｃは短くなるので、調整ひも１３はバッグ本体１を体の前側に持ってくるに充分な長尺のひもとならないという不具合があった。
【００１０】
本発明の課題は、バッグ本体を背負った状態において、調整具をバッグ本体の下部側に常に位置するように調整することができ、背負ったバッグ本体を体の前側に持ってくるに充分な長尺のひもとすることができる背負い具を提供することにある。
【００１１】
【課題を解決するための手段】
上記課題を解決するための本発明の手段は、背負い具本体の上部に２個の上部肩ひもの一端が取付けられ、背負い具本体の下部の左右には連結具が挿通された取付け帯が取付けられ、前記一方の上部肩ひもの下端部に係脱自在な係脱具の一方を設け、また前記上部肩ひもの下端部に長尺の調整ひもの一端を固着し、この調整ひもを調整具、前記係脱具の他方、前記調整具及び前記一方の連結具に順次挿通し、更に前記調整具のひも掛け部に挿通して摩擦係合させた背負い具において、前記調整具と前記取付け帯に一対の着脱可能な止め具を設けたことを特徴とする。
【００１２】
【発明の実施の形態】
本発明の一実施の形態を図１により説明する。なお、図３乃至図８と同じ又は相当部材には同一符号を付し、その詳細な説明は省略する。本実施の形態は、図３、図４及び図６に示す背負い具用肩ひも１０の部分を改良したものであり、図５及び図７に示す背負い具用肩ひも２０の部分は従来例と同じ構造となっている。
【００１３】
図１に示すように、取付け帯４Ａに止め具用連結具３０を設け、前記調整具１４及び止め具用連結具３０にそれぞれ止め具取付け板３１、３２を設けた。そして、一方の止め具取付け板３１に一対のフック３３の雌部３３ａを取付け、他方の止め具取付け板３２にフック３３の雄部３３ｂを取付けた。またフック３３の着脱に調整ひも１３が影響しないように、調整ひも１３の他端部１３ｂを止め具用連結具３０に挿通した。その他の構造は図３、図４及び図６と同じであるので、その説明は省略する。
【００１４】
次に作用について説明する。図１において、調整具１４が連結具３Ａより離れており、調整具１４と連結具３Ａ間に調整ひも１３の余分な長さ部分１３ｄがある場合には、他端部１３ｂを下方に引っ張る。これにより、他端部１３ｂが下方に伸びて余分な長さ部分１３ｄが無くなり、調整具１４は連結具３Ａに近づく。そこで、フック３３の雌部３３ａを雄部３３ｂに止める。このように、フック３３を止めた状態においては、調整具１４は必ず連結具３Ａの近くにあることになる。従って、フック３３を止めた状態で図８（ａ）に示すようにバッグ本体１を背中に背負い、そして係脱具１２を外して図８（ｂ）に示すようにバッグ本体１を体の前側に持ってくるに充分な長尺の調整ひも１３となることが必要である。
【００１５】
フック３３及び係脱具１２を外し、図８（ｂ）に示すようにバッグ本体１を体の前側に持ってくる場合に、調整ひも１３が長尺となる部分は、図１及び図４に示す調整ひも１３の部分１３ｃの長さである。従って、前記したように調整具１４を連結具３Ａに近づけても、係脱具１２と連結具３Ａ間の長さが短い場合には、調整ひも１３の部分１３ｃの長さも短く、図８（ｂ）に示すようにバッグ本体１を体の前側に持ってくるに充分な長尺の長さに調整ひも１３がならないことがある。また逆に、係脱具１２と連結具３Ａ間の長さが長い場合には、調整ひも１３の部分１３ｃの長さが長いので、図８（ｂ）に示すようにバッグ本体１を体の前側に持ってきた場合、バッグ本体１が必要以上に体の前側より垂れ下がることになる。
【００１６】
そこで、まず、調整ひも１３の部分１３ｃが短い場合の調整方法について説明する。前記したようにフック３３を止めて図８（ａ）に示すようにバッグ本体１を背中に背負った状態で、フック３３を外し、調整具１４の下端側を上方に起こして該調整具１４を上方に引き上げる。これにより、他端部１３ｂが引き上げられ、調整具１４と連結具３Ａ間の調整ひも１３の部分１３ｄが長くなる。次に部分１３ｃの前側部分１３ｅを下側から上側に引き上げると、部分１３ｄの長さが部分１３ｃに移動し、部分１３ｃが長くなると共に、調整具１４は連結具３Ａに近づく。
【００１７】
調整ひも１３の部分１３ｃが長い場合には、図８（ａ）に示すようにバッグ本体１を背中に背負い、フック３３を外した状態で、調整具１４を起こさないで該調整具１４を上方に引き上げると、調整ひも１３の部分１３ｃが短くなる。しかし、部分１３ｄが長くなるので、他端部１３ｂを下方に引き下げると、他端部１３ｂが伸びて部分１３ｄが無くなり、調整具１４は連結具３Ａに近づく。
【００１８】
前記したように調整し、バッグ本体１を体の前側に持ってくるに適した長尺の調整ひも１３に調整されたか否かは、係脱具１２を外し、従来例と同様に、図８（ａ）に示す背負い具用ひも２０を引っ張ってバッグ本体を体の前側に移動させて確認する。バッグ本体１を体の前側に持ってくるに適した長尺の調整ひも１３に調整されている場合には、フック３３を止めて使用する。
【００１９】
このように、バッグ本体１を体の前側に持ってくるに充分な適当な長さに調整ひも１３の長さを調整しておき、フック３３を止めた状態にすれば、調整具１４はバッグ本体１の下部側に常に位置する。即ち、調整ひも１３は、背負ったバッグ本体１を体の前側に持ってくるに充分な長尺とすることができる。
【００２０】
上記実施の形態においては、連結具３Ａとしてリングを用いた場合について説明したが、図２に示すようにひも掛け部３ａを有する連結具３Ａを用い、ひも掛け部３ａに調整ひも１３を掛けてもよい。また取付け帯４Ａにリング３４を取付け、リング３４に調整ひも１３の他端部１３ｂ及び止め具取付け板３２を挿通してもよい。このようにリング３４を設けると、取付け板３２が起き上がらなく、フック３２の係脱が容易に行える。また図１の場合もリング３４を設けた方がよいことは言うまでもない。
【００２１】
なお、上記実施の形態においては、止め具としてフック３３を用いた場合について説明したが、フック３３に代えてマジックテープを用いてもよい。
【００２２】
【発明の効果】
本発明によれば、背負い具本体の上部に２個の上部肩ひもの一端が取付けられ、背負い具本体の下部の左右には連結具が挿通された取付け帯が取付けられ、前記一方の上部肩ひもの下端部に係脱自在な係脱具の一方を設け、また前記上部肩ひもの下端部に長尺の調整ひもの一端を固着し、この調整ひもを調整具、前記係脱具の他方、前記調整具及び前記一方の連結具に順次挿通し、更に前記調整具のひも掛け部に挿通して摩擦係合させた背負い具において、前記調整具と前記取付け帯に一対の着脱可能な止め具を設けたので、バッグ本体を背負った状態において、調整具をバッグ本体の下部側に常に位置するように調整することができ、背負ったバッグ本体を体の前側に持ってくるに充分な長尺のひもとすることができる。
【図面の簡単な説明】
【図１】本発明の背負い具の一実施の形態を示す右側面図である。
【図２】本発明の背負い具の他の実施の形態を示す取付け帯部分の一部断面図である。
【図３】従来の背負い具を示す右側面図である。
【図４】図３において係脱具を外した状態の右側面図である。
【図５】従来の背負い具を示す左側面図である。
【図６】図３の背負い具用ひもを示し、（ａ）は正面図、（ｂ）は側面図である。
【図７】図３の背負い具用ひもを示し、（ａ）は正面図、（ｂ）は側面図である。
【図８】（ａ）はバッグ本体を背負った状態の説明図、（ｂ）はバッグ本体を体の前側に移動させた状態の説明図である。
【符号の説明】
１    バッグ本体
２Ａ  上部肩ひも
３Ａ  連結具
４Ａ  取付け帯
１０  背負い具用ひも
１２  係脱具
１３  調整ひも
１４  調整具
１４ａ  ひも掛け部
３３  フック
【図１】
0003567088.tif 000002
【図２】
0003567088.tif 000003
【図３】
0003567088.tif 000004
【図４】
0003567088.tif 000005
【図５】
0003567088.tif 000006
【図６】
0003567088.tif 000007
【図７】
0003567088.tif 000008
【図８】
0003567088.tif 000009